(57)【要約】      （修正有）【課題】既存の豆炭燃焼器の使用目的を広げ、豆炭の燃焼時間を最大限に活用し資源の無駄遣いを省いた、暖房機能付多目的椅子を提供する。【解決手段】暖房機能付多目的椅子１は、箱体２内に配置された豆炭燃焼器の加熱源である豆炭の燃焼熱を、蓋３を構成する金属天板５に伝熱し、着座によって暖を得るもので、前記箱体２を支持する四本の脚柱により高さを変更し、又は、キャスターを取り付ける事により、着座のまま移動できる椅子とすることが可能としている。さらに、着座カバー４３を容易に交換できる構成とすることで、愛玩動物の暖房用に用いたり、足を乗せて暖を取る足温器としても、着座カバー４３を取り換えることで衛生的に活用できる。【選択図】図１
0003173087.tif 000002
【実用新案登録請求の範囲】
【請求項１】
缶体内に加熱源である豆炭燃焼器を配置させ、その豆炭の燃焼熱を着座面である金属天板に伝熱し、暖を得る形態で、どのメーカーの豆炭燃焼器も使用可能とした構成を特徴とする、暖房機能付多目的椅子。
【請求項２】
長尺脚を外付けする事により、箱体の高さを変更できる事を特徴とする暖房機能付多目的椅子。
【請求項３】
箱体底部にキャスターを取り付ける事を可能とし、腰かけながら移動可能とした暖房機能付多目的椅子。
【請求項４】
着座面のカバーを取り換え可能とし、衛生面に留意した構成とすることを特徴とした暖房機能付多目的椅子。
【請求項５】
材質を金属鋼鈑製とした場合において、箱体を構成する領域に断熱兼保温目的の材料を挟んだ多層構造とするとともに、蓋の構成をプレス成型一体型とすることを特徴とした暖房機能付多目的椅子。
【請求項６】
使用目的を愛玩動物の暖房器や、床面の冷え込みを抑える足温器など多目的に利用できる暖房機能付多目的椅子。
【考案の詳細な説明】
【技術分野】
【０００１】
本考案は、箱体内部に配置させた豆炭燃焼器（豆炭アンカ）によって、着座面である天板を加熱する暖房機能を備えた多目的椅子。
【背景技術】
【０００２】
従来、暖房機能を備えた椅子は、座板の裏面に電熱式暖房器を固着、又は発熱体を用いて座面を直接温める方法等が用いられていた。それらは、熱源にコードを介して電気の供給が必要であり、使用目的も限られていた。したがって、移動や設置場所に制約を受けた。
【先行技術文献】
【特許文献】
【０００３】
【特許文献１】特開平１０−２３４５１５号
【特許文献２】実用新案登録第３１１７９５１号
【考案の概要】
【考案が解決しようとする課題】
【０００４】
上記特許文献１及び特許文献２に記載される煖房機能付椅子は、熱源に電熱ヒーターを用いたものであり、電気の安定供給が前提に考案されており、したがって、設置場所にも制約があった。そこで、近年の省資源思考を背景に化石燃料である石炭を加工した豆炭を利用する豆炭燃焼器を利用した暖房機能が付いた簡易椅子に考案の余地があった。
【０００５】
本考案は、上述の課題を解決するものであり、熱源に豆炭燃焼器（通称：豆炭アンカ）を使用することで省資源を図っている。さらに、電源コードが不要の為、移動や設置場所に制約を受けない暖房機能付多目的椅子を提供する。
【課題を解決するための手段】
【０００６】
本考案に係る暖房機能付多目的椅子は、箱体内部に配置させた豆炭燃焼器の放熱を箱体上部の蓋を構成する金属天板に伝熱することにより座面を温め着座時に暖を取ることを特徴とした暖房機能付多目的椅子である。
【０００７】
本考案の暖房機能付多目的椅子は、豆炭燃焼器を直接座面に固着せず、箱体内に適度の収納空間を設け、不燃布ベルトで固定させている。したがって、移動時に豆炭燃焼器が動くことがないように構成されている。
【０００８】
さらに、天板に金属鋼鈑を用いることで、熱伝導が良く、熱損失を抑えている。又、豆炭燃焼器を箱体内に収納して、蓋をする構成であることから、外部の気温に影響され難く、箱体内に熱を留保し、保温性を高めた暖房機能付多目的椅子としている。
【図面の簡単な説明】
【０００９】
【図１】本考案の一実施形態である暖房機能付多目的椅子の蓋を開き、着座カバーを外した状態の概略斜視図である。
【図２】図１の暖房機能付多目的椅子の正面図で、Ａ−Ａ線方向の横断面を表す破線を表示してある。
【図３】図１の暖房機能付多目的椅子の背面図である。
【図４】図１の暖房機能付多目的椅子の左側面図である。
【図５】図１の暖房機能付多目的椅子の右側面図である。
【図６】図１の暖房機能付多目的椅子の平面図で、Ｂ−Ｂ線方向の縦断面図を表す破線を表示してある。
【図７】図１の暖房機能付多目的椅子の底面図である。
【図８】図２の暖房機能付多目的椅子の正面図においてＡ―Ａ線方向に沿った横断面図である。
【図９】図６の暖房機能付多目的椅子の平面図においてＢ−Ｂ線方向に沿った縦断面図である。
【図１０】図９の暖房機能付多目的椅子の断面図に豆炭燃焼器を収納した状態の一実            施例である。
【図１１】図２の暖房機能付多目的椅子において愛玩動物の暖房器具として用いた一実施例である。
【図１２】図２の暖房機能付多目的椅子を足温器として用いた一実施例である。
【図１３】図２の暖房機能付多目的椅子に外付け長尺脚を取り付ける方法を示した展開図である。
【図１４】図２の暖房機能付多目的椅子に外付け長尺脚を取り付けた状態の一実施例の視斜図である。
【図１５】図２の暖房機能付多目的椅子にキャスターを取り付けた状態の一部破断図を表示した一実施例である。
【図１６】図２の暖房機能付椅子の材質を金属鋼鈑製とした場合の壁面に断熱材を挟んだ多層構造としている一実施例である。
【考案を実施するための形態】
【００１０】
以下、本考案の一実施形態を図面に基づいて説明する。実施形態の暖房機能付多目的椅子１は、外形形状を正面壁６、背面壁７、側壁左８、側壁右９に蓋３と底板２５を配した箱体２に、前脚左１０、前脚右１１．後脚左１２、後脚右１３によって支持された形態で構成される。なを、着座面カバー４３は着座面に形成される金属天板５の金属特有の硬さを和らげるための構成であり、材質や形態には特段の指示は不要の為、以降、図面には前記略カバーを取り外した状態で説明している。
【００１１】
本考案の暖房機能付多目的椅子１は、箱体２の底板２５に、豆炭燃焼器２９内に配置させた豆炭２８の燃焼に必要な空気取り入れ口２３が設けてある。（図７参照）さらに、豆炭燃焼器２９を設置した場合、底板２５の接触部分が加熱するのを防止するとともに、空気取り入れ口２３を閉塞しないように足付格子網２６を配してある。又、豆炭燃焼器２９が箱体２の前記略壁面と接触しないようにネジ２４で止めた不燃布の燃焼器固定ベルト１８で固定している。（図８参照）さらに、市場に出回っている豆炭燃焼器２９は、生産者によりサイズが異なるため、マジックテープ２７でサイズ調正が可能にしてある。（図１、図８及び図９参照）なお、底板２５の四隅には、腰かけたまま移動する作業用にキャスター４０を取り付ける穴を設けてあるも、空気の過剰流入を抑えるためナット４１とボルト４２により塞いでいる。（図８及び図９参照）
【００１２】
なを、本考案の暖房機能付多目的椅子１を構成する箱体２の側壁左８及び側壁右９の上部には、燃焼ガス排出のための排気孔左１６及び排気孔右１７が設けてあり、微弱な排気を外部からの風で阻害しないよう取手兼防風板を設けた構成としている。（図９及び図１０参照）
【００１３】
さらにまた、箱体２の正面壁６の上部内側中央に蓋３の開閉時のフックとして箱型止め具本体２０を設けた構成とし、蓋３を形成する蓋枠４には、箱型止め具爪部２１を配して、箱体２と蓋３が不用意に開くのを防いでいる。（図１参照）
【００１４】
本考案の暖房機能付多目的椅子の箱体２は、前脚左１０、前脚右１１、後脚左１２、及び後脚右１３からなる四本の脚柱によって支持されており、箱体２の高さを調節している。又、前記略四本の脚柱には、外付け長尺脚３９を取り付ける為の鬼目ナット１４が埋め込んであり（図４及び図５参照）、蝶ネジ３８で取り付け可能としている。（図１３参照）
【００１５】
図１４は、前記略長尺脚を取り付けた状態の一実施例の斜視図であり、膝を深く曲げることなく着座可能としている。
【００１６】
なお、図１１は愛玩動物の暖房用、図１２は足温器、図１４は膝を軽く曲げた状態で腰かける椅子として、図１５はキャスター４０を付けて腰かけたままで移動可能の椅子として、さらに図１６は、金属鋼鈑を用いた場合の一実施例として図示している。ちなみに、豆炭燃焼器２９の豆炭２８が燃焼し続ける時間は２４時間程度で、一般的就眠時間を８時間とすると、残り１６時間を本考案の暖房機能付多目的椅子１に設置することにより、燃焼時間を有効に利用でき、資源を無駄なく活用するのに、本考案の暖房機能付多目的椅子１は好適である。
【符号の説明】
【００１７】
１  暖房機能付多目的椅子
２  箱体
３  蓋
４  蓋枠
５  金属天板
６  正面壁
７  背面壁
８  側壁左
９  側壁右
１０  前脚左
１１  前脚右
１２  後脚左
１３  後脚右
１４  鬼目ナット
１５  取手兼防風板
１６  排気孔左
１７  排気孔右
１８  燃焼器固定ベルト
１９  蓋止め鎖
２０  箱型止め具本体
２１  箱型止め具爪部
２２  蝶番
２３  空気取り入れ口
２４  ベルト止めネジ
２５  底板
２６  足付格子網
２７  マジックテープ
２８  豆炭
２９  豆炭燃焼器
３０  石綿断熱材
３１  愛玩動物
３２  プレス成型蓋
３３  排気口
３４  金属鋼鈑内面側壁
３５  断熱兼保温材
３６  金属鋼鈑側壁
３７  連結部材
３８  蝶ネジ
３９  外付長尺脚
４０  キャスター
４１  ナット
４２  ボルト
４３  着座カバー
４４  足
４５  隙間
【図１】
0003173087.tif 000003
【図２】
0003173087.tif 000004
【図３】
0003173087.tif 000005
【図４】
0003173087.tif 000006
【図５】
0003173087.tif 000007
【図６】
0003173087.tif 000008
【図７】
0003173087.tif 000009
【図８】
0003173087.tif 000010
【図９】
0003173087.tif 000011
【図１０】
0003173087.tif 000012
【図１１】
0003173087.tif 000013
【図１２】
0003173087.tif 000014
【図１３】
0003173087.tif 000015
【図１４】
0003173087.tif 000016
【図１５】
0003173087.tif 000017
【図１６】
0003173087.tif 000018
【手続補正書】
【提出日】平成23年10月28日(2011.10.28)
【手続補正１】
【補正対象書類名】実用新案登録請求の範囲
【補正対象項目名】全文
【補正方法】変更
【補正の内容】
【実用新案登録請求の範囲】
【請求項１】
箱体内に加熱源である豆炭燃焼器を配置させ、その豆炭の燃焼熱を着座面である金属天板に伝熱し、暖を得る形態とすることを特徴とする、暖房機能付多目的椅子。
【請求項２】
長尺脚を外付けする事により、箱体の高さを変更できることを特徴とする請求項１記載の暖房機能付多目的椅子。
【請求項３】
箱体底部にキャスターを取り付ける事により、腰かけながら移動可能な椅子に変更できることを特徴とする請求項１記載の暖房機能付多目的椅子。
【請求項４】
着座面カバーを取り換え可能とし、衛生面に留意した構成とすることを特徴とした請求項１記載の暖房機能付多目的椅子。
【請求項５】
材質を金属鋼鈑製とした場合において、箱体を構成する領域に断熱兼保温目的の材料を用い多層構造とするとともに、蓋の構成をプレス成型一体型とし、保温断熱を図った形態を特徴とする請求項１記載の暖房機能付多目的椅子。
【手続補正３】
【補正対象書類名】明細書
【補正対象項目名】００１１
【補正方法】変更
【補正の内容】
【００１１】          本考案の暖房機能付多目的椅子１は、箱体２の底板２５に、豆炭燃焼器２９内に配置させた豆炭２８の燃焼に必要な空気取り入れ口２３が設けてある。（図７参照）さらに、豆炭燃焼器２９を設置する場合、前記豆炭燃焼器２９が底板２５と接触するのを防止するとともに、空気取り入れ口２３を閉塞しないように足付格子網２６が配してある。又、豆炭燃焼器２９が箱体２の前記略壁面と接触しないようにネジ２４で止めた不燃布の燃焼器固定ベルト１８で固定している。（図８参照）さらに、市場に出回っている豆炭燃焼器２９は、生産者によりサイズが異なるため、面ファスナー２７で固定できるようにしてある。（図１、図８図９参照）なお、底板２５の四隅には、腰かけたまま移動する作業用にキャスター４０を取り付ける穴が設けてあるも、空気の過剰流入を抑える為ナット４１とボルト４２により塞いでいる。（図８及び図９参照）
【手続補正４】
【補正対象書類名】明細書
【補正対象項目名】００１７
【補正方法】変更
【補正の内容】
【００１７】          １  暖房機能付き多目的椅子          ２  箱体          ３  蓋          ４  蓋枠          ５  金属天板          ６  正面壁          ７  背面壁          ８  側壁左          ９  側壁右          １０  前脚左          １１  前脚右          １２  後脚左          １３  後脚右          １４  鬼目ナット          １５  取手兼防風板          １６  排気孔左          １７  排気孔右          １８  燃焼器固定ベルト          １９  蓋止め鎖          ２０  箱型止め具本体          ２１  箱型止め具爪部          ２２  蝶番          ２３  空気取り入れ口          ２４  ベルト止めネジ          ２５  底板          ２６  足付格子網          ２７  面ファスナー          ２８  豆炭          ２９  豆炭燃焼器          ３０  石綿断熱材          ３１  愛玩動物          ３２  プレス成型蓋          ３３  排気口          ３４  金属鋼鈑内面側壁          ３５  断熱兼保温材          ３６  金属鋼鈑側壁          ３７  連結部材          ３８  蝶ネジ          ３９  外付長尺脚          ４０  キャスター          ４１  ナット          ４２  ボルト          ４３  着座カバー          ４４  足          ４５  隙間